(57)【要約】      （修正有）【課題】有効な緊密嵌着ができ、組み立て後に外力で簡単に解体することがないホース巻取り器を提供する。【解決手段】フレーム装置とフレーム１に取り付けたドラム装置とホース連結装置からなることを特徴とする。フレーム装置は軸支持筒１１を突設したフレーム１からなり、該軸支持筒１１内周囲に複数の支持片１２を設け、その中心部は貫通孔である。ホース連結装置は、伸延部４３を引き出してなる給水パイプ４５及びパイプ本体４４を有する連結パイプ４からなる。ドラム装置はドラム本体２２と２枚の円盤２３を有するドラム２からなる。ドラム２が回転することによりホースを巻き取る。【選択図】図１
0003151699.tif 000002
【実用新案登録請求の範囲】
【請求項１】
フレーム装置とフレームに取り付けたドラム装置およびホース連結装置で構成されており、フレーム装置は軸支持筒を突設したフレームからなり、該軸支持筒内周囲に複数の支持片を設け、その中心部は貫通孔となっており、該貫通孔は壁端が広がったテーパ管を形成し、該テーパ管周囲に複数の溝を設けることにより融通性を持たせ、テーパ管外端壁には係合溝を２ヵ所設けており、該ホース連結装置は伸延部を設けた連結パイプからなり、給水パイプおよびパイプ本体は伸延部を引き出してなり、パイプ本体末端付近に円錐状に突出した環状突起を設けて、軸支持筒のテーパ管外端に嵌合固定させ、パイプ本体末端部にシールリングを嵌着した環状溝を設けており、組み立て板は円盤で、該円盤の一側に係合フックを、他側に雄ねじ山を設け、短いパイプ状である接続口の内側に雌ねじ山を設けて、組み立て板の雄ねじ山と螺合させ、その内側にリングパッキンを嵌着させ、他側に水源と接続するためのジョイントを設けており、
該ドラム装置はドラム本体と２枚の円盤を有するドラムからなり、ドラム本体の中心は空洞部であり、該空洞部に連結パイプのパイプ本体を挿入後、フレームのテーパ管外端に嵌合固定してなるホース巻取り器とし、
該軸支持筒中心は貫通孔であり、該貫通孔は壁端が広がったテーパ管を形成し、該テーパ管周囲に複数の溝を設けることで、その外縁に融通性を持たせており、連結パイプのパイプ本体末端付近の円錐状に突出した環状突起は、融通性を持たせたテーパ管末端に容易に嵌合固定でき、この種の構造は組み立てが容易であるが、外力によって外れることがないことを特徴とするホース巻取り器。
【請求項２】
軸支持筒構造を強化するために、該軸支持筒内周囲に複数の支持片を設けることを特徴とする請求項１に記載のホース巻取り器。
【請求項３】
組み立て板に設けた２個の係合フックを軸支持筒に係合固定させるため、該軸支持筒のテーパ管外端壁に、係合溝を２ヵ所設けることを特徴とする請求項１に記載のホース巻取り器。
【請求項４】
該連結パイプの給水パイプをホースの接続パイプと連結後、空洞部に係合することを特徴とする請求項１に記載のホース巻取り器。
【考案の詳細な説明】
【技術分野】
【０００１】
本考案は、園芸散水用ホースまたは掃除用ホースに用いるホース巻取り器に関する。
【背景技術】
【０００２】
日本特許第３２３８９１７号に開示されている散水ホース用巻取り器の特許請求の範囲は、フレームに軸支持筒を突設し、該軸支持筒に挿貫される開口部を設けた巻取りドラムを軸支持筒の外周に遊嵌して片持ちに軸支し、片持ち支持側と反対側で巻取りドラムを、軸支持筒を中心として回転させることにより巻取りホースの巻取り、巻戻しが行えるように構成してなる散水ホース用巻取り器とし、さらに、軸支持筒先端部の内周壁に狭窄状肉厚部を形成し、巻取りドラムの巻取りドラム空洞部に挿入固定した巻取りホース接続パイプの先端部と、フレームの軸支持筒内に挿入固定した給水ホース接続パイプの先端部とを、軸支持筒内において回転自在に連結し、かつ、巻取りホース接続パイプと給水ホース接続パイプとの連結部分を軸支持筒の狭窄状肉厚部に緊密に嵌着して、巻取りホース接続パイプと給水ホース接続パイプとを一体に接続することにより巻取りドラムをフレームに組み立て装着していることを特徴としている。
【０００３】
前記特許の欠点は以下の通りである。該軸支持筒の先端は、給水ホース接続パイプと巻取りホース接続パイプを狭窄状肉厚部に緊密に嵌着させるために縮小されている。給水ホース接続パイプは軸支持筒先端の縮小部分により、外側に拡張できないため、給水ホース接続パイプ先端は内側に突起を設けるようにしか設計できない。これを巻取りホース接続パイプ先端の環状溝と係合後、狭窄状肉厚部に緊密に嵌着する。この種の構造は、実際には有効な緊密嵌着ができない。限られたスペースで係合するため、巻取りホース接続パイプ先端の寸法は給水ホース接続パイプ先端の寸法と合わなければならず、さもなければ係合ができず、組み立て後、外力で簡単に解体してしまう。
【先行技術文献】
【特許文献】
【０００４】
【特許文献１】日本特許第３２３８９１７号
【考案の概要】
【考案が解決しようとする課題】
【０００５】
本考案は、かかる欠点を解消したホース巻取り器を提供することを目的とする。
【課題を解決するための手段】
【０００６】
本考案ホース巻取り器は図１、図２および図３に示すように、フレーム装置とフレームに取り付けたドラム装置およびホース連結装置からなる。該フレーム装置は軸支持筒１１を突設したフレーム１からなり、該軸支持筒１１内周囲に複数の支持片１２を設け、その中心部は貫通孔１４となっている。該貫通孔１４は壁端が広がったテーパ管１３を形成しており、該テーパ管１３周囲に複数の溝を設けることにより、融通性を持たせている。テーパ管１３外端壁に係合溝１５を２ヵ所設けている。
【０００７】
該ホース連結装置は、伸延部４３を引き出してなる給水パイプ４５およびパイプ本体４４を有する連結パイプ４からなる。伸延部４３の内側に２個の係合フック４６を設けており、該係合フック４６は、パイプ本体４４をドラム装置に係合固定するのに用いられる。パイプ本体４４末端付近に円錐状に突出した環状突起４１を設け、軸支持筒１１のテーパ管１３外端に嵌合固定するのに用いられる。パイプ本体４４末端部に、シールリング４７を嵌着した環状溝４２を設けている。組み立て板５は円盤であり、該円盤の一側に係合フック５１を設け、該係合フック５１は、軸支持筒１１の係合溝１５に係合するのに用いられており、他側には雄ねじ山５２を設けている。短いパイプ状である接続口６の内側には雌ねじ山６１を設け、組み立て板５の雄ねじ山５２と螺合させる。その内側にリングパッキン６２を嵌着させ、他側に水源と接続できるようジョイント６３を設けている。
【０００８】
該ドラム装置はドラム本体２２と２枚の円盤２３を有するドラム２からなる。ドラム本体２２の中心は空洞部２１であり、空洞部２１の外側端には係合溝２４を２ヵ所設けており、該係合溝２４はパイプ本体４４を空洞部２１に挿入後、伸延部４３内側に設けた２個の係合フック４６を係合固定するのに用いられる。連結パイプ４のパイプ本体４４を空洞部２１に挿入後、パイプ本体４４をフレーム１のテーパ管１３外端に嵌合固定する。ドラム本体２２はホース３をドラム２に巻き取るのに用いられ、ホース３の末端には連結パイプ４の給水パイプ４５に連結するよう接続パイプ３１を設けている。
【考案の効果】
【０００９】
本考案の特徴は以下のとおりである。該軸支持筒１１内周囲に複数の支持片１２を設け、その中心部は貫通孔１４となっている。該貫通孔１４は壁端が広がったテーパ管１３を形成しており、該テーパ管１３周囲に複数の溝を設けることにより、その外縁に融通性を持たせている。連結パイプ４のパイプ本体４４末端付近の円錐状に突出した環状突起４１は、融通性を持つテーパ管１３末端部へ容易に嵌合固定できる。この種の構造は、組み立ては容易であるが、外力によって外れることはない。
【図面の簡単な説明】
【００１０】
【図１】本考案ホース巻取り器の分解図である。
【図２】本考案ホース巻取り器の別角度の分解図である。
【図３】本考案ホース巻取り器の部分部品分解図である。
【図４】本考案ホース巻取り器の組み立て正面図である。
【図５】図４のＡ−Ａ線の断面図である。
【考案を実施するための形態】
【００１１】
図３に示すように、本考案はドラム２が回転することにより、ホース３を巻き取る構造である。フレーム１に軸支持筒１１を突設し、該軸支持筒１１にドラム２を挿貫し、回転させる。該ドラム２は２枚の円盤２３および空洞部２１を有するドラム本体２２からなり、軸支持筒１１に挿貫後、ホース３の巻取り時に回転する。
【００１２】
さらに、連結パイプ４のパイプ本体４４を空洞部２１に挿入し、伸延部４３の内側に設けた２個の係合フック４６をドラム装置の２ヵ所の係合溝２４に係合する。これによりパイプ本体４４をドラム装置に固定させるため、ドラム装置を回転させる時、パイプ本体４４も同時に回転する。給水パイプ４５を、取付孔２５を通してホース３の接続パイプ３１に連結し、空洞部２１に係合する。パイプ本体４４の円錐状に突出した環状突起４１は、軸支持筒１１のテーパ管１３を通過し、外端に嵌合固定される。パイプ本体４４末端の環状溝４２にシールリング４７を嵌着し、組み立て板５の２個の係合フック５１を軸支持筒１１の係合溝１５に係合させる。該パイプ本体４４のシールリング４７を組み立て板５の内パイプ５３壁端に嵌合させることにより、水漏れ防止機能を持たせている。該組み立て板５の他側の雄ねじ山５２および接続口６の雌ねじ山６１を螺合させ、その内側にリングパッキン６２を嵌着させることにより強固な水漏れ防止機能を持たせている。接続口６に、水源に接続するためのジョイント６３を設けている。
【００１３】
前述したように、本考案の長所は以下のとおりである。軸支持筒１１中心部は、壁端が広がったテーパ管１３を形成しており、該テーパ管１３周囲に複数の溝を設けることにより、その外縁に融通性を持たせている。連結パイプ４のパイプ本体４４末端付近の円錐状に突出した環状突起４１は、融通性を持つテーパ管１３末端へ容易に嵌合固定できる。この種の構造は、組み立ては容易であるが、外力によって外れない機能を持つ。
【符号の説明】
【００１４】
１  フレーム
１１  軸支持筒
１２  支持片
１３  テーパ管
１４  貫通孔
１５  係合溝
２  ドラム
２１  空洞部
２２  ドラム本体
２３  円盤
２４  係合溝
２５  取付孔
３  ホース
３１  接続パイプ
４  連結パイプ
４１  環状突起
４２  環状溝
４３  伸延部
４５  給水パイプ
４４  パイプ本体
４６  係合フック
４７  シールリング
５  組み立て板
５１  係合フック
５２  雄ねじ山
５３  内パイプ
６  接続口
６１  雌ねじ山
６２  リングパッキン
６３  ジョイント
【図１】
0003151699.tif 000003
【図２】
0003151699.tif 000004
【図３】
0003151699.tif 000005
【図４】
0003151699.tif 000006
【図５】
0003151699.tif 000007